(57)【要約】【課題】本考案は、着脱が容易で、動物にストレスを与えることを軽減させるために柔軟、軽量で、装着した場合でもずれにくくフィット性が高い、効果的に手術後等の傷口(患部)を保護する基材を提供する腹帯基材を提供する。【解決手段】  動物の傷口を被覆する布帛からなる繊維基材と該繊維基材を装着状態で体に固定する固定部材とからなる腹帯基材であって、好ましくは、該繊維基材に動物の前足及び／または後足を挿入する開口部が少なくとも一つ設けられていることを特徴とする腹帯基材。【選択図】          図１
0003128603.tif 000002
【実用新案登録請求の範囲】
【請求項１】
動物の患部を被覆する布帛からなる繊維基材と該繊維基材を装着状態で体に固定する固定部材とからなる腹帯基材。
【請求項２】
繊維基材に動物の前足及び／または後足を挿入する開口部が少なくとも一つ設けられていることを特徴とする請求項１記載の腹帯基材。
【請求項３】
繊維基材がメルトブロー法で製造された不織布であることを特徴とする請求項１乃至２記載の腹帯基材。
【請求項４】
繊維基材を動物の大きさや患部の大きさに合わせて任意のサイズに裁断できることを特徴とする請求項１乃至３記載の腹帯基材。
【考案の詳細な説明】
【技術分野】
【０００１】
本考案は、動物が怪我をした場合の傷口や手術後の傷口等を被覆保護するために使用される繊維基材及び該繊維基材を固定するための固定部材とからなる腹帯基材であって、更に詳しくは、該腹帯基材を動物の体にあわせて固定できるものであり、人は簡単に装脱着出来るが、動物自身は容易に取り外すことのできないもので、動物が傷口や手術後の患部を舐めたり、噛んだりする事による傷口の化膿を防止し傷の治癒を早めることを目的とする腹帯基材に関する。
【背景技術】
【０００２】
近年、犬や猫などの動物を家庭でペットとして飼うことが多くなってきている。それに伴い、これらの動物が怪我をしたり、病気に伴う手術、避妊手術や去勢手術などをうけることが増えている。これらの治療を受けた場合、患部を舐めたり噛んだりしないように、動物の首の周りには薄いプラスチックでできた半円錐形状の保護具、所謂エリザベスカラーなどを装着することが行われてきた。
しかし、エリザベスカラーを装着された動物は、視界が狭くなったり、動きが制限されるため、違和感を感じ、装着をいやがり、装着がストレスになることが多かった。
【０００３】
また、実用新案文献１では、腹当部の前部両側に端部に、接着部を備えた腹帯を設け、後部両側に、前記腹帯に接着する接着部を備えた腰紐を設けたことを特徴とするペット用カバーが提案されている。該ペット用カバーを装着した場合、胴部に巻き付けて使用するので脱落する虞は少ないが、胴回り方向に回転し位置が安定しない虞がある。
【０００４】
また、特許文献２には、犬などの４足動物が足を怪我したときに、足の傷口を覆うように足を挿入する保護具及び体に固定する固定具を有してなる動物用傷保護具が開示されている。該発明は怪我をした足部を挿入する筒状の保護具であり、足部以外、例えば、胴部の傷口を保護するためには適当ではない。
【０００５】
【特許文献１】実開平６−７５１５３号公報
【特許文献２】特開２００４−２８３５３０号公報
【考案の開示】
【考案が解決しようとする課題】
【０００６】
本考案は、上記の問題を解決するものであり、その目的とするところは、効果的に患部を保護し、着脱が容易であり、動物にストレスを与えにくく、軽量で且つ、フィット性が高い腹帯基材を提供することである。
【課題を解決するための手段】
【０００７】
本考案者らは、上記課題を解決すべく鋭意研究の結果、次の構造を有す考案を完成した。すなわち本考案は、
（１）動物の患部を被覆する布帛からなる繊維基材と該繊維基材を装着状態で体に固定する固定部材とからなる腹帯基材である。
また、（２）繊維基材に動物の前足及び／または後足を挿入する開口部が少なくとも一つ設けられていることを特徴とする（１）記載の腹帯基材である。
また、（３）繊維基材がメルトブロー法で製造された不織布であることを特徴とする（１）乃至（２）記載の腹帯基材である。
また、（４）繊維基材を動物の大きさや患部の大きさに合わせて任意のサイズに裁断できることを特徴とする（１）乃至（３）記載の腹帯基材である。
【考案の効果】
【０００８】
本考案の腹帯基材は、着脱が容易で、動物にストレスを与えることを軽減させるために柔軟、軽量で、装着した場合でもずれにくくフィット性が高い、効果的な手術後等の傷口(患部)を保護する基材を提供することができる。
【考案を実施するための最良の形態】
【０００９】
本考案の形態例を図１〜３に示すが、本考案の腹帯基材は平面状の繊維基材からなり、動物の胴回りに筒状に着用する形態となっている。繊維基材の形状は円形、四角形等特に限定するものではなく、動物の体型や、損傷箇所に合わせて適宜に設定できる。
【００１０】
また、本考案の腹帯基材は、例えば図４や図５に示すように平面状の繊維基材に１ヶ所以上の足を挿入する開口部を設け、この開口部に足を挿入し、胴に巻き付け胴上部等で固定部材により固定することにより装着する。開口部の数は患部の場所や数を考慮し適宜に決めることができる。図４や図５に示すように、開口部に足を挿入することで装着後の腹帯基材がずれるのを防止することができる。このような構造になっているので該腹帯基材が安定し、動物が動き回ってもずれたり、脱落しにくいため、安定して患部を被覆保護できる。開口部のサイズは腹帯基材を適用する動物の大きさにより適宜設定できるものであり、特に限定しない。
【００１１】
該繊維基材に開口部を設ける方法は、織編にて形成する方法、繊維基材に切り込みを入れることにより形成する方法などが挙げられる。開口部の形状は円形、楕円形、四角形、その他多角形など、特に限定されないが、足を挿入するため角が無い、孤を描く円形状が好ましい。
【００１２】
また、本考案の腹帯基材は繊維基材の端部に配してある固定部材により胴部に巻き付けるように固定することができる。本考案で使用できる固定部材は、ベルト、面ファスナー、ホック、ボタンなどを用いることができ特に限定されるものではない。これらを用いることにより、着脱が容易となる。特に面ファスナーを用いることにより、動物の胴回りのサイズが異なっても、大きさを簡単に調整する事が可能となり好ましい。これら固定部材は縫着、接着、熱圧着などの適宜な方法により繊維基材に取り付けることができる。
【００１３】
更に、本考案の腹帯基材は繊維基材を用いており、中でも不織布を用いた場合は、鋏等で簡単且つ、自在にカット（フリーカット）出来るため、患部の大きさに合わせて作成することができる。さらに広範囲にわたる患部を保護するためだけではなく、普段の生活で少々の怪我、傷口にも使用する事ができ、例えば、図６に示すように、局部的な使用も可能である。
【００１４】
本考案に採用される繊維基材の材料としては、ナイロン６、ナイロン６６に代表されるポリアミド系繊維、ポリエチレンテレフタレート、ポリブチレンテレフタレート等のポリエステル系繊維、ポリエチレン、ポリプロピレン等のポリオレフィン系繊維、アクリル繊維、ウレタン繊維等の合成繊維、アセテート等の半合成繊維、ビスコースレーヨン等のセルロース系再生繊維、牛乳タンパク繊維等のタンパク質系再生繊維、天然ゴム繊維、また、木綿、羊毛、絹、麻等等の天然繊維を挙げることができ、これらが単独で構成されていても、相互に複合で構成されていてもよいが、装着時に体にフィットするようにウレタン系繊維等の伸縮性の繊維を用いたものが好ましい。また、用いる繊維基材の形態としては、動物の胴部に装着した際に筒状になる形態となれば良く、織物、編物、不織布等いずれの種類であってもよい。特に軽量性及び、経済性の点で不織布が好ましく、さらにフリーカット時に繊維くずの発生の少ないメルトブロー法で製造された不織布が好ましい。
【００１５】
本考案の使用方法(装着)の例を図４〜６に示す。本考案の腹帯基材の開口部に足を挿入して、動物の胴部を包み込む様に巻き付け、面ファスナー等の固定部材でサイズを調整し、動物に装着する。
【００１６】
なお、本考案の腹帯基材の肌側の患部に接触する部分に、アクリノールなどの殺菌剤やその他薬剤を直接塗布したり、該薬剤を含浸させたガーゼなどを積層したり、薬剤を含有したミニカプセルなどを付与しておくことも可能である。
【図面の簡単な説明】
【００１７】
【図１】本考案の腹帯基材の一例を示す上視図である。
【図２】本考案の腹帯基材の別の例を示す上視図である。
【図３】本考案の腹帯基材のさらに別の例を示す上視図である。
【図４】動物に図１の腹帯基材を装着した例である。
【図５】動物に図２の腹帯基材を装着した例である。
【図６】動物に図３の腹帯基材を装着した例である。
【符号の説明】
【００１８】
１．繊維基材
２．開口部
３．面ファスナー（メス部材）
４．面ファスナー（オス部材）
【図１】
0003128603.tif 000003
【図２】
0003128603.tif 000004
【図３】
0003128603.tif 000005
【図４】
0003128603.tif 000006
【図５】
0003128603.tif 000007
【図６】
0003128603.tif 000008